(57)【要約】【課題】  映像信号処理装置において、複数の映像再生装置に映像信号出力中、映像再生装置の動作状態に応じて表示可能な最大解像度を切り換え表示する【解決手段】  映像信号処理装置において、入力される映像信号から解像度情報を読み出す解像度情報読み出し部と、映像信号を画面に表示する複数の映像表示装置と、映像信号入力部が入力した映像信号を前記複数の映像表示装置に出力する際の解像度を設定する解像度設定部と、複数の映像表示装置の動作状態を検出する動作検出部と、複数の映像表示装置に予め記憶された解像度情報を読み出し解像度設定部を制御する制御部を備え、制御部は、動作検出部が停止を検出した映像表示装置があったとき他の動作している映像表示装置に対して共通で最大の解像度を判別し解像度設定部が設定する解像度を最大解像度にする制御を行う。【選択図】  図１
2006208616.tif 000002
【特許請求の範囲】
【請求項１】
解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部とを備え、前記制御部は、前記複数の映像表示装置から読み出した解像度情報のうち各映像表示装置に共通で最大の解像度を判別し前記解像度設定部に前記最大の解像度を設定させる制御を行ない、前記動作検出部が動作の停止を検出した映像表示装置があったとき、他の動作している映像表示装置に対して共通で最大の解像度を判別し前記解像度設定部に前記最大の解像度を設定させる制御をすることを特徴とする映像信号処理装置。
【請求項２】
解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部とを備え、前記制御部は、前記複数の映像表示装置から読み出した解像度情報のうち各映像表示装置に共通で最大の解像度を判別し前記解像度設定部に前記最大の解像度を設定させる制御を行ない、前記動作検出部が動作の開始を検出した映像表示装置があったとき、前記動作の開始を検出した映像表示装置を含めて動作している映像表示装置に対して共通で最大の解像度を判別し前記解像度設定部に前記最大の解像度を設定させる制御をすることを特徴とする映像信号処理装置。
【請求項３】
解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部と、前記制御部が読み出した複数の解像度情報及び前記各解像度情報における映像信号を画面に表示可能な映像表示装置の台数を示す情報を表示する表示部と、前記表示部が表示した複数の解像度情報を選択して前記解像度設定部に設定する操作を行う操作部とを備え、前記制御部は、前記動作検出部が動作の停止を検出した映像表示装置があったとき、他の動作している映像表示装置に対して共通で最大の解像度を判別して前記表示部に表示し、前記操作部による解像度の変更操作を受け付ける制御をすることを特徴とする映像信号処理装置。
【請求項４】
解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部と、前記制御部が読み出した複数の解像度情報及び前記各解像度情報における映像信号を画面に表示可能な映像表示装置の台数を示す情報を表示する表示部と、前記表示部が表示した複数の解像度情報を選択して前記解像度設定部に設定する操作を行う操作部とを備え、前記制御部は、前記動作検出部が動作の開始を検出した映像表示装置があったとき、前記動作の開始を検出した映像表示装置を含めて動作している映像表示装置に対して共通で最大の解像度を判別して前記表示部に表示し、前記操作部による解像度の変更操作を受け付ける制御をすることを特徴とする映像信号処理装置。
【発明の詳細な説明】
【技術分野】
【０００１】
本発明は、映像信号の画素数を制御する映像信号処理装置に関する。
【背景技術】
【０００２】
従来の、コンピュータ用モニタ装置、デジタル家電におけるテレビ受像装置等の映像表示装置は、装置内に映像表示装置の表示可能な解像度情報を記憶した電気的消去再書込み可能読出し専用メモリ（Electronically Erasable and Programmable Read Only Memory、以下、ＥＥＰＲＯＭと言う。)を備える。
例えば、コンピュータ装置にコンピュータ用モニタ装置を接続して使用する場合、コンピュータ装置が、コンピュータ用モニタ装置内のＥＥＰＲＯＭに記憶された解像度情報を読み出し、読み出した解像度情報を基に、コンピュータ装置が出力する映像信号の画素数を設定する。
【０００３】
コンピュータ装置が出力する映像信号の解像度を設定する場合、コンピュータ装置において、当該コンピュータ装置が設定可能な画素数の情報と、コンピュータ装置に接続された複数のコンピュータ用モニタ装置内のメモリから読み出した解像度情報に対応する画素数とを比較し、複数のコンピュータ用モニタ装置内のメモリから読み出したそれぞれの解像度情報のうち共通する画素数に一致する設定値、又は複数のコンピュータ用モニタ装置内のメモリから読み出したそれぞれの解像度情報のうち共通する画素数に最も近い画素数の値を設定して映像を表示する装置があった（特許文献１参照）。
【０００４】
【特許文献１】特開２００１−３５６７５２号公報
【発明の開示】
【発明が解決しようとする課題】
【０００５】
コンピュータ装置にコンピュータ用モニタ装置を接続して使用する例において、映像信号処理を行うコンピュータ装置に複数のコンピュータ用モニタ装置を接続して同時に映像信号を出力する際、複数のコンピュータ用モニタ装置の中に、設定した解像度で表示する機能のない装置が接続されていた場合、そのコンピュータ用モニタ装置には、映像が表示されなかった。
【０００６】
そのため、コンピュータ装置が出力する映像信号を複数のコンピュータ用モニタ装置それぞれに確実に表示させる方法として、複数のコンピュータ用モニタ装置が必須機能として備えている表示可能な共通の解像度に設定する方法がある。この方法では、複数のコンピュータ用モニタに表示を開始した後、使用中の複数のコンピュータ用モニタのうち一部のコンピュータ用モニタの動作を停止させた場合、又は新たに動作を開始させたコンピュータ用モニタを含めて使用したい場合など、使用状況の変更に合わせて、解像度を変更する操作は煩雑であり、コンピュータ装置によっては動作を停止させなければ解像度を変更することができないものもあった。
【０００７】
本発明の目的は、映像信号処理装置において、複数の映像再生装置を接続して使用しているとき、使用中の動作を停止した映像再生装置、又は動作を開始した映像再生装置に対応して、同時に表示可能な最大解像度に設定して映像を表示することができるようにした装置を提供することにある。
【課題を解決するための手段】
【０００８】
本発明の請求項１に記載の映像信号処理装置は、解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部とを備え、前記制御部は、前記複数の映像表示装置から読み出した解像度情報のうち各映像表示装置に共通で最大の解像度を判別し前記解像度設定部に前記最大の解像度を設定させる制御を行ない、前記動作検出部が動作の停止を検出した映像表示装置があったとき、他の動作している映像表示装置に対して共通で最大の解像度を判別し前記解像度設定部に前記最大の解像度を設定させる制御をする。
【０００９】
本発明の請求項２に記載の映像信号処理装置は、解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部とを備え、前記制御部は、前記複数の映像表示装置から読み出した解像度情報のうち各映像表示装置に共通で最大の解像度を判別し前記解像度設定部に前記最大の解像度を設定させる制御を行ない、前記動作検出部が動作の開始を検出した映像表示装置があったとき、前記動作の開始を検出した映像表示装置を含めて動作している映像表示装置に対して共通で最大の解像度を判別し前記解像度設定部に前記最大の解像度を設定させる制御をする。
【００１０】
本発明の請求項３に記載の映像信号処理装置は、解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部と、前記制御部が読み出した複数の解像度情報及び前記各解像度情報における映像信号を画面に表示可能な映像表示装置の台数を示す情報を表示する表示部と、前記表示部が表示した複数の解像度情報を選択して前記解像度設定部に設定する操作を行う操作部とを備え、前記制御部は、前記動作検出部が動作の停止を検出した映像表示装置があったとき、他の動作している映像表示装置に対して共通で最大の解像度を判別して前記表示部に表示し、前記操作部による解像度の変更操作を受け付ける制御をする。
【００１１】
本発明の請求項４に記載の映像信号処理装置は、解像度情報を有する映像信号を入力する映像信号入力部と、前記映像信号入力部に入力した映像信号から解像度情報を読み出す解像度情報読み出し部と、映像信号を画面に表示する複数の映像表示装置と、前記映像信号入力部が入力した映像信号を前記複数の映像表示装置に出力する際の解像度を設定する解像度設定部と、前記複数の映像表示装置それぞれの動作状態を検出する動作検出部と、前記複数の映像表示装置に予め記憶された解像度情報を読み出し前記解像度設定部を制御する制御部と、前記制御部が読み出した複数の解像度情報及び前記各解像度情報における映像信号を画面に表示可能な映像表示装置の台数を示す情報を表示する表示部と、前記表示部が表示した複数の解像度情報を選択して前記解像度設定部に設定する操作を行う操作部とを備え、前記制御部は、前記動作検出部が動作の開始を検出した映像表示装置があったとき、前記動作の開始を検出した映像表示装置を含めて動作している映像表示装置に対して共通で最大の解像度を判別して前記表示部に表示し、前記操作部による解像度の変更操作を受け付ける制御をする。
【発明の効果】
【００１２】
本発明の映像信号処理装置によれば、複数の映像再生装置を接続して使用しているとき、使用中の動作を停止した映像再生装置、又は動作を開始した映像再生装置に対応して、同時に表示可能な最大解像度に設定して映像を表示することができる。
【発明を実施するための最良の形態】
【００１３】
図１は、本発明の映像信号処理装置の第１の実施例の構成を示すブロック図である。映像信号入力部１は、外部の映像信号再生装置が再生した、解像度情報を含む映像信号を受けて、解像度設定部２に入力する。解像度設定部２は、映像信号から解像度情報を読み出し、制御部３の制御によって、映像信号を設定された解像度に変換し、解像度を変換した映像信号を複数の映像表示装置４ａ、４ｂ、・・・４ｎに出力する。
【００１４】
制御部３は、解像度設定部２の出力解像度を制御する。また、制御部３は、映像表示装置４ａ、４ｂ、・・・４ｎの動作状態を監視し、映像表示装置４ａ、４ｂ、・・・４ｎのうち動作状態にある映像表示装置のＥＥＰＲＯＭに記憶されている解像度情報を読み出し、読み出した解像度情報を、解像度設定部２に設定する。映像表示装置４ａ、４ｂ、・・・４ｎは、解像度設定部２から入力された映像信号を画面に表示する。
【００１５】
制御部３は、解像度調整部３ａを備える。解像度調整部３ａは、制御部３が監視している映像表示装置４ａ、４ｂ、・・・４ｎの動作が停止したり開始したりして動作状態が変化した場合、当該動作状態の変化後に動作している全ての映像表示装置に共通して表示可能な最大の解像度を判別し、解像度設定部２に設定する。
操作部５は、制御部３に接続され、解像度設定部２が出力する解像度を設定するための操作ボタンを備える。
【００１６】
図２は、本発明の映像信号処理装置の第１の実施例の動作を示すフローチャートである。制御部３は、映像表示装置４ａ、４ｂ、・・・４ｎの動作状態を確認する（Ｓ１）。制御部３は、映像表示装置４ａ、４ｂ、・・・４ｎのうち動作状態にある映像表示装置から、各映像表示装置のＥＥＰＲＯＭに記憶されている各映像表示装置が表示可能な解像度情報を読み出す（Ｓ２）。
【００１７】
制御部３は、複数の映像表示装置４ａ、４ｂ、・・・４ｎのうち、動作状態にある映像表示装置を判別する(Ｓ３)。動作状態にある映像表示装置が複数あるとき（Ｓ３でＮｏ）、解像度調整部３ａは、動作状態にある複数の映像表示装置それぞれの表示可能な最大の解像度を判断し、当該最大の解像度を解像度設定部２に設定して(Ｓ４)、映像信号を映像表示装置４ａ、４ｂ、・・・４ｎに出力させる（Ｓ５）。
【００１８】
解像度調整部３ａは、複数の映像表示装置それぞれの動作状態を監視する(Ｓ６)。複数の映像表示装置それぞれの動作状態を監視した結果、動作を停止した映像表示装置があった場合、又は停止していた映像表示装置が新たに動作を開始した場合(Ｓ７でＹｅｓ)、動作を停止した映像表示装置があった場合には当該映像表示装置を除き動作している映像表示装置が共通に表示可能な最大の解像度を判断して当該最大の解像度を解像度設定部２に設定し、新たに動作を開始した映像表示装置があった場合には当該映像表示装置を加えて動作している映像表示装置が共通に表示可能な最大の解像度を判断して当該最大の解像度を解像度設定部２に設定する(Ｓ８)。
【００１９】
映像信号の出力が継続していれば(Ｓ９でＮｏ)、Ｓ５からＳ９までの処理を繰り返し行い、映像信号の出力が終了したとき(Ｓ９でＹｅｓ)、図２のフローチャートに示す動作を終了する。
【００２０】
Ｓ３で制御部３が判別した結果、動作状態にある映像表示装置が１台である場合（Ｓ３でＹｅｓ）、読み出した解像度情報が解像度設定部２に設定された解像度に一致すれば（Ｓ１０でＹｅｓ）、制御部３は、映像信号を映像表示装置４ａ、４ｂ、・・・４ｎに出力させ(Ｓ５)、以下、Ｓ５からＳ９までの処理を行う。
【００２１】
Ｓ１０で制御部３が判断した結果、読み出した解像度情報が解像度設定部２に設定された解像度に一致しない場合（Ｓ１０でＮｏ）、制御部３は、読み出した解像度情報に一致する解像度を解像度設定部２に設定して（Ｓ１１）、映像信号を映像表示装置４ａ、４ｂ、・・・４ｎに出力させ(Ｓ５) 、以下、Ｓ５からＳ９までの処理を行う。
【００２２】
図３は、本発明の映像信号処理装置の第２の実施例の構成を示すブロック図である。図３において、図１に示した第１の実施例の構成と共通部分には、同じ符号を付けて説明を省略する。
操作部５は、制御部３に接続され、表示部６に表示された解像度を選択する操作ボタンを備える。表示部６は、制御部３に接続され、解像度調整部３ａが検出した動作状態にある映像表示装置が共通に表示可能な解像度を表示する。
【００２３】
図４は、本発明の映像信号処理装置の第２の実施例の動作を示すフローチャートである。制御部３は、映像表示装置４ａ、４ｂ、・・・４ｎの動作状態を確認する（Ｔ１）。制御部３は、映像表示装置４ａ、４ｂ、・・・４ｎのうち動作状態にある映像表示装置から、各映像表示装置のＥＥＰＲＯＭに記憶されている各映像表示装置が表示可能な解像度情報を読み出す（Ｔ２）。
【００２４】
制御部３は、複数の映像表示装置４ａ、４ｂ、・・・４ｎのうち、動作状態にある映像表示装置を判別する(Ｔ３)。動作状態にある映像表示装置が複数あるとき（Ｔ３でＮｏ）、解像度調整部３ａは、動作状態にある複数の映像表示装置それぞれの表示可能な最大の解像度を表示し、当該最大の解像度を解像度設定部２に設定して(Ｔ４)、映像信号を映像表示装置４ａ、４ｂ、・・・４ｎに出力させる（Ｔ５）。
【００２５】
解像度調整部３ａは、複数の映像表示装置それぞれの動作状態を監視する(Ｔ６)。複数の映像表示装置それぞれの動作状態を監視した結果、動作を停止した映像表示装置があった場合、又は停止していた映像表示装置が新たに動作を開始した場合(Ｔ７でＹｅｓ)、動作を停止した映像表示装置があった場合には当該映像表示装置を除き動作している映像表示装置が共通に表示可能な解像度を表示部６に表示し、新たに動作を開始した映像表示装置があった場合には当該映像表示装置を加えて動作している映像表示装置が共通に表示可能な解像度を示す情報、及び解像度を示す情報毎の表示可能な映像表示装置の台数を並べて、
表示部６に表示する(Ｔ８)。
【００２６】
使用者は、表示部６に表示された解像度を示す情報、及び解像度を示す情報毎の表示可能台数を見て、操作部５によって、選択する解像度を示すため表示部６に表示されているカーソルを移動させて、選択する解像度にカーソルを合わせて操作部５の決定ボタンを押すことによって、解像度を選択する操作を行う
(Ｔ９)。解像度調整部３ａは、操作部５によって選択された解像度を解像度設定部２に設定して、映像信号を映像表示装置４ａ、４ｂ、・・・４ｎに出力させる。映像信号の出力が継続していれば(Ｔ１０でＮｏ)、Ｔ５からＴ１０までの処理を繰り返し行い、映像信号の出力が終了したとき(Ｔ１０でＹｅｓ)、図４のフローチャートに示す動作を終了する。
【００２７】
Ｔ３で制御部３が判別した結果、動作状態にある映像表示装置が１台である場合（Ｔ３でＹｅｓ）、読み出した解像度情報が解像度設定部２に設定された解像度に一致すれば（Ｔ１１でＹｅｓ）、制御部３は、映像信号を映像表示装置４ａ、４ｂ、・・・４ｎに出力させ(Ｔ５)、以下、Ｔ５からＴ１０までの処理を行う。
【００２８】
Ｔ１１で制御部３が判断した結果、読み出した解像度情報が解像度設定部２に設定された解像度に一致しない場合（Ｔ１１でＮｏ）、制御部３は、読み出した解像度情報に一致する解像度を解像度設定部２に設定して（Ｔ１２）、映像信号を映像表示装置４ａ、４ｂ、・・・４ｎに出力させ(Ｔ５)、以下、Ｔ５からＴ１０までの処理を行う。
【図面の簡単な説明】
【００２９】
【図１】本発明の映像信号処理装置の第１の実施例の構成を示すブロック図である。
【図２】本発明の映像信号処理装置の第１の実施例の動作を示すフローチャートである。
【図３】本発明の映像信号処理装置の第２の実施例の構成を示すブロック図である。
【図４】本発明の映像信号処理装置の第２の実施例の動作を示すフローチャートである。
【符号の説明】
【００３０】
１  映像信号入力部
２  解像度設定部
３  制御部
３ａ  解像度調整部
４ａ、４ｂ、４ｎ  映像表示装置
５  操作部
６  表示部
【図１】
2006208616.tif 000003
【図２】
2006208616.tif 000004
【図３】
2006208616.tif 000005
【図４】
2006208616.tif 000006